(57)【要約】【課題】確実で十分な結束を行うことで、着崩れのしない和服の装いができ、しかも、胸元が楽で、和服着用に負担を掛けない着付けができ、帯を解く際の操作が簡単にできるようにした着付け補助具。【解決手段】帯板を中間で左右に分割し、結合手段で、互いに連結して構成され、前記帯板の下部両端側から結束紐を延出すると共に、前記帯板の表面の上部両端側に、帯枕からの結束紐を通すための環を先端に備えた締め用紐を装備したことを特徴とする。【選択図】　　　　　図１
2004068172.tif 000002
【特許請求の範囲】
【請求項１】
帯板を中間で左右に分割し、結合手段で互いに連結して構成され、前記帯板の下部両端側から結束紐を延出すると共に、前記帯板の表面の上部両端側に、帯枕からの結束紐を通すための環を先端に備えた締め用紐を装備したことを特徴とする着付け補助具。
【請求項２】
前記連結手段は、手操作で係脱できるフック、または、差込み係合する雌・雄嵌合片から構成されることを特徴とする、請求項１に記載の着付け補助具。
【請求項３】
前記帯板に対する前記締め用紐が、前記環を前記帯板の上縁より上方に延出できると共に端縁から少なくとも環全体を外側に出さない条件で、その取付け位置を設定していることを特徴とする、請求項１または２に記載の着付け補助具。
【発明の詳細な説明】
【０００１】
【発明の属する技術分野】
本発明は、主として、婦人用の和服を装うときに用いられる着付け補助具に関するものである。
【０００２】
【従来の技術】
従来、例えば、実開昭６３−４６４２６号公報に所載のように、和服を装うとき、帯付け前に帯板を正面の適切な個所に当てて装着するため、帯板の両端に結束紐を装着し、これを胴に回して、結束するようにした着付け補助具が既に知られている。
【０００３】
このように、予め、帯板の位置を決め、胴に装着することで、帯付けの作業を用意にすることができるメリットがあるが、帯付けに際して使用する帯枕からの結束紐を、胸元で結んでいるので、この結び目が、胸元に食い込んで、息苦しくなる畏れがある。一般に、婦人の和装は、身体を締め付ける状態となるので、息苦しくなるなどの欠点があるが、特に、喘息持ちの方が和服を着用する場合、これは、大変な負担となる。しかし、この結束を緩くすると、着付け後、身体の動きで形崩れし易くなる。
【０００４】
【発明が解決しようとする課題】
そこで、本発明者は、先に、確実で十分な結束を行うことで、着崩れのしない和服の装いができ、しかも、胸元が楽で、和服着用に負担を掛けない着付けができる着付け補助具を提唱した。本発明は、更に、帯を解く際の操作が簡単にできるようにした着付け補助具の提供を目的とする。
【０００５】
【課題を解決するための手段】
このため、本発明の着付け補助具では、帯板を中間で左右に分割し、結合手段で、互いに連結して構成され、前記帯板の下部両端側から結束紐を延出すると共に、前記帯板の表面の上部両端側に、帯枕からの結束紐を通すための環を先端に備えた締め用紐を装備したことを特徴とする。
【０００６】
このような構成では、帯板からの結束紐を胴に回して、結束することで、帯板の位置を決め、固定することができ、その上で、帯付けをする際、帯枕の結束紐を、前記環に通し、身体の後側で結束するので、従来のように、結び目で胸元が苦しくなる畏れが解消される。しかも、この結束紐による締め付けを確実、十分にしても、帯板の裏面全体で、身体に接するので、衣服の支えも確実で、身動きにも支障がない。さらに、帯を解く際の操作が簡単にできるようになる。
【０００７】
この場合、好ましい実施の形態として、前記連結手段は、手操作で係脱できるフック、または、差込み係合する雌・雄嵌合片から構成されることが、和服を脱ぐ際に有効である。また、前記帯板に対する前記締め用紐が、前記環を前記帯板の上縁より上方に延出できると共に端縁から少なくとも環全体を外側に出さない条件で、その取付け位置を設定していることが、帯締めに際して帯枕からの紐を、環に通して折り返し、後ろで締められ、その締め付けが、帯板を介して身体に働くため、胸元での締め付けの負担が軽減される点で有効である。
【０００８】
【発明の実施の形態】
以下、本発明の実施の形態を、図面を参照して具体的に説明する。
図１は、本発明の着付け補助具（帯板１）の表面１ａを示し、図２は、その背面１ｂを示したものである。これら図１、２に示すように、着付け補助具（帯板１）は、ウエストラインから上方の腹部を覆うように、所定の高さ幅を有する帯板１が、中間で左右に分割されており、結合手段３で互いに連結して構成されている。また、帯板１の下部両端側には、腰部に巻き回して締めるための結束紐４が延出され、帯板１の表面１ａには、環５を先端に備えた締め用紐６が設けられている。
【０００９】
本発明の着付け補助具（帯板１）には、さらに、上述した結合手段３が腹部に当たる不快感を解消するために、腹部カバー７が取り付けられている。この腹部カバー７は、中間で左右に分割された帯板１の右の分割片に取り付けられており、結合手段３による結合で、腹部カバー７の先端は、左の分割片に掛け渡されるものとなっている。図２に示すポケット８は、名刺やキャッシュカードなどの小物が収納できるように取付けたものであるが、帯の内側から手軽に、小物が取り出せるので便利である。
【００１０】
結合手段３は、手操作で係脱できるフック、または、差込み係合する雌・雄嵌合片など適宜に取り付けられるものである。図３は、そのような結合手段３が、帯板１の左の分割片と、連結布９を介して右の分割片に、それぞれ取り付けられたことを示したものである。このように、結合手段３を好適に選択することにより、左右の分割片が隙間なく連結された帯板１とすることもできる。
【００１１】
締め用紐６の先端に取り付けられた環５は、帯枕からの結束紐を通すためのものであり、帯板１の上部両端側に位置するように取り付けられる。即ち、帯板１の表面１ａに、締め用紐６が縫い込まれて環５が取り付けられるものであるが、その位置に関し、帯板１に対する締め用紐６が、環５を帯板１の上縁より上方に延出できること、及び、帯板１の端縁から少なくとも環５を外側に出さないこととする。また、図３では、環５が２個取り付けられていることを示した。この環５の数は、好みにより任意に選択できるものであるが、環５を２個取り付けたものは、よく知られるように仮止めできるものとなることから、慣れることで、有効に利用できる。
【００１２】
図４は、以上のように構成された帯板１が、帯付けに際して装着される手順を説明するものである。先ず、裾前、襟元などを整え、腰紐などで、固定した後、帯締めの高さを案配して、正面から、帯板を当てがう。（（ａ）参照）。次に、締め用紐６の先端に取り付けられた環５を帯板１の上縁より上方に持ち上げ、結束紐４を胴に回して、帯板１の前で、結束する（（ｂ）参照）。次に、帯１０を締めるが、環５を帯１０に巻き込まないようにする（（ｃ）参照）。その後、帯付けと平行して、帯枕の両端に設けた帯枕用紐１１を、それぞれ環５に通し（（ｄ）参照）、帯板１の上方に環５を引き上げた状態で、帯枕用紐１１を背後に引き戻して、仮結びする。
【００１３】
その後、帯付けの作業をする過程の適当な時期に、形を整えた上で、帯枕用紐を本格的に締め、結びつける。この時、帯締めに際して帯枕からの紐を、環に通して折り返し、後ろで締められ、その締め付けが、帯板１を介して身体に働くため、胸元での締め付けの負担が軽減される。そして、帯枕に被せた帯揚げ紐を、正面で軽く結び、帯１０の下に押し込んで納める。
以上説明したようにして、和服の着付けを終了するが、和服を脱ぐ時には、図５に示すように、結束紐４を解き、その上で、帯板１の結合手段３の係合を外すことにより、環５に通した帯枕用紐を解かなくても、簡単に帯枕が外せるものとなる。
【００１４】
なお、結束紐４には、普通の平織り紐を用いたが、丸紐や、伸縮性のある弾性紐などを用いることや、紐の結びに代わり、所謂、面テープを用いた構成にすることによって適宜実施できる。
また、図４，５に示したような帯締め手順を写真撮りして、これを解説文と一緒に印刷したボール紙などのシートを添付して、本発明に係る着付け補助具の使用仕様を明らかにすることが望ましく、特に、これを合成樹脂フィルムでラミネートし、帯締めの際に帯板として利用できる形態にすることで、常に、着付け補助具と共に、活用できる。
【００１５】
【発明の効果】
本発明は、以上詳述したように、帯板に環を先端に備えた締め用紐を装備したので、帯枕からの結束紐を好適に結ぶことができる。従って、確実で十分な結束を行うことで、着崩れのしない和服の装いができ、しかも、胸元が楽で、和服着用に負担を掛けない着付けができるという優れた効果が得られる。
また、帯板を中間で左右に分割しているので、帯枕を容易に外すことができ、帯を解く際の操作が簡単にできる。
【図面の簡単な説明】
【図１】本発明の実施の形態を示す正面図（表面）である。
【図２】同じく、背面図（背面）である。
【図３】同じく、使用態様を示す正面図（表面）である。
【図４】装着手順を示したものである。
【図５】取り外し方を示したものである。
【符号の説明】
１　帯板
１ａ　表面
１ｂ　背面
３　結合手段
４　結束紐
５　環
６　締め用紐
７　腹部カバー
８　ポケット
９　連結布
１０　帯
１１　帯枕用紐
【図１】
2004068172.tif 000003
【図２】
2004068172.tif 000004
【図３】
2004068172.tif 000005
【図４】
2004068172.tif 000006
【図５】
2004068172.tif 000007